(57)【要約】【課題】電気機械的回転ロックシリンダにおいて本質的に少ないエネルギー消費により優れ、それにもかかわらず少ない費用で製造でき、かつ作動の確実なものを作り出すことである。【解決手段】この回転ロックシリンダはロック部材２５、６４を有し、この部材は鎖錠位置において回転子１０の中へ嵌入し、開錠位置においてこの回転子１０を解放する。作動手段１７、７８はキー２の上に設けられた情報に応じて制御する。ロック部材２５、６４を鎖錠位置から開錠位置へスライドさせるために押圧手段３３、６３が設けられ、これはキー２により動かす。ロック部材２５、６４は作動手段１７により固定する。ロック部材２５を動かすためのエネルギーはユーザによりキー２をキー溝１１の中へ挿入する際にもたらされ、従ってエネルギー源には作動手段１７、７８を作動させるためには最小限の負荷しかかからない。【選択図】図１
2009521631.tif 000002
【特許請求の範囲】
【請求項１】
固定子（５）とその中に支承されている回転子（１０）とを含み、固定子（５）の下方部分（８）の中に収容されていて、或るロック位置において回転子（１０）の中へ嵌入し、そして或る開放位置においてこの回転子（１０）を開放するロック部材（２５、６４）と、キー（２）の上に設けられた情報に依存して制御されることができ、そしてロック部材（２５、６４）を或るロック位置において固定し、かつ或る別の位置において開放する作動手段（１７、７８）とを備えた電気機械的な回転ロックシリンダにおいて、その開放されたロック部材（２５、６４）をそのロック位置からその開放位置へスライドさせるために、回転子（１０）のキー溝（１１）の中に嵌入し、そしてキー（２）によって動かされることのできる押圧手段（３３、６３）が設けられていることを特徴とする、上記回転ロックシリンダ。
【請求項２】
押圧手段（３３）が回転子（１０）の背後領域においてキー溝（１１）の中へ突出し、そしてそのキー溝（１１）の中へ挿入されたキー（２）の前端部によって操作することができることを特徴とする、請求項１に従う回転ロックシリンダ。
【請求項３】
ロック部材（２５、６４）をそのロック位置において固定するために可動の部分（２０）が設けられており、これが作動手段（１７、７８）によって２つの位置の間で動くことができ、その際或る第１の位置においてそのロック部材（２５、６４）は固定されており、そして或る第２の位置において開放されていることを特徴とする、請求項２に従う回転ロックシリンダ。
【請求項４】
可動の部分（２０）がスライダ又はスイング回動可能なレバー（６８）であり、この上でそのロック部材（２５、６４）がそのロックされた位置において固定されていることを特徴とする、請求項２又は３に従う回転ロックシリンダ。
【請求項５】
可動の部分（２０）を作動手段（１７、７８）によって直線的にスライドさせることができることを特徴とする、請求項２ないし４の一つに従う回転ロックシリンダ。
【請求項６】
押圧手段（３３、６３）が或るばね（６７）の反作用力に抗して動くことができることを特徴とする、請求項１ないし５の一つに従う回転ロックシリンダ。
【請求項７】
そのロック部材が少なくとも１個のロックボルト（３２、６４）を有し、これを或るばね要素（３７、６５）とともに、押圧手段（３３、６３）の作動によって緊張させることができることを特徴とする、請求項１ないし６の一つに従う回転ロックシリンダ。
【請求項８】
少なくとも２つのロックボルト（３２、６４）が設けられていること、及びこれらをそれぞれ或るばね要素（３７、６５）により緊張させることができることを特徴とする、請求項７に従う回転ロックシリンダ。
【請求項９】
スイング回動可能なレバー（６８）が少なくとも一つのくり抜き（７０）を有し、この中にそのロック部材（６４）の一方の端部（６６）が嵌入することを特徴とする、請求項４ないし８の一つに従う回転ロックシリンダ。
【請求項１０】
歯切り部分材（７１）が設けられており、これがロック部（６９）を有して作動手段（７７、７８）により或るロック位置と或る開放位置との間で動かされることができることを特徴とする、請求項１ないし９の一つに従う回転ロックシリンダ。
【請求項１１】
ロック部（６９）が前記のスイング回動可能なレバー（６８）に設けられているレバー（７４）と協働することを特徴とする、請求項１０に従う回転ロックシリンダ。
【請求項１２】
ロック部（６９）と協働するレバー（６８）がラチェットレバー（７４）であることを特徴とする、請求項１１に従う回転ロックシリンダ。
【請求項１３】
ロック部（６９）と協働するレバー（６８）が上面（８４）を有し、これにロック部（６９）がロック位置において当接することを特徴とする、請求項１１又は１２に従う回転ロックシリンダ。
【発明の詳細な説明】
【技術分野】
【０００１】
本発明は、固定子とその中に支承されている回転子とを有し、そして固定子の下方部分の中に収容されていて鎖錠位置において回転子の中に嵌入し、開錠位置において回転子を開放するロック部材を備え、キーの上に設けられた情報に応じて制御され得る作動手段が設けられた電気機械的回転ロックシリンダに関する。
【背景技術】
【０００２】
上記の類の電気機械的回転ロックシリンダはすでに古くから知られている。このものはユーザ識別が電子的に確実化されていることによって高い安全性を可能にしているという利点を有する。このユーザ識別によって、或る予め定められた電子的情報を一度入力しただけで回転子は挿入されたキーにより作動され得るようになる。
【０００３】
電気機械的回転ロックシリンダは、例えばＥＰ０７１２１８１Ａ（ＡＺＢＥ）により公知となっている。このものはロック部材として、シリンダサックの中に収容されていて或る偏心器を介して電気モータと結合されている拘止ピンを備えている。
【特許文献１】ＥＰ０７１２１８１Ａ
【０００４】
電気モータの軸の回転によりこのピンは、そのロックシリンダの中へ挿入されたキーから読み取られた電子的コードがそのロックシリンダの記憶装置の中に記憶されているコードと対応したときにその第１の位置から第２の位置へ移動されることができる。電気モータへのエネルギー供給のためにシリンダサックの中に電池が収容されている。この回転ロックシリンダにおいてはロック部材或いは拘止ピンを移動させるためのエネルギー消費は比較的大きい。従って、電池は比較的頻繁に交換する必要がある。
【０００５】
ドイツ特許ＤＥ１９５１７７２８Ｃ (Ｋｅｓｏ  ＧｍｂＨ）によって同様に上述の類の電気機械的回転ロックシリンダが公知となっている。この場合にはロック部材は回転子のくり抜きの中に嵌入するブラケットとして形成されている。そのシリンダサックの中に或る作動装置が配置されており、これは電気モータを有し、その軸に互いに向き合った２つのカムが設けられていて、これらが鎖錠位置においてブラケットと噛み合う。
【０００６】
ブラケットが開放されているときはこれは、そのシリンダコアの中に挿入されたキーを廻したときのヒトの力によってそのシリンダコアの外周の中の各くり抜きから押し出すことができる。不適切な操作に際してはそれら両方のカムがブラケットとシリンダハウジングとの間に挟まれてより大きなエネルギー消費を招くことがある。
【特許文献２】ドイツ特許ＤＥ１９５１７７２８Ｃ
【０００７】
ドイツ特許ＤＥ１９５１７７０４Ａ（ＢＫＳ）は電気機械的回転ロックシリンダの一つを開示しているが、この場合もそのロック部材は同様にスライド可能なピンとして形成されている。同様にこのピンも或る偏心器を介して電気モータと連結されている。この偏心器を回転させるとそのロックピンはスライドされる。ここでもそのロック部材を作動させるためのエネルギー消費は比較的大きい。
【特許文献３】ドイツ特許ＤＥ１９５１７７０４Ａ
【発明の開示】
【発明が解決しようとする課題】
【０００８】
本発明の課題は、上述した類の電気機械的回転ロックシリンダにおいて本質的に少ないエネルギー消費により優れており、そしてそれにもかかわらず少ない費用で製造でき、かつ作動の確実なものを作り出すことである。
【課題を解決するための手段】
【０００９】
本発明の上述した課題は、特許請求の範囲における請求項１に従う技術的範囲の回転ロックシリンダにおいて、ロック部材を鎖錠位置から開錠位置へスライドさせるためにキーによって作動させることができる押圧手段が設けられていること、及びこのロック部材が鎖錠位置において固定されており、そして作動手段の作動によって開放されることにより解決される。
【００１０】
本発明に従う回転ロックシリンダにおいては、そのロック部材は作動手段によってではなくて或る押圧手段によって動かされるのである。そのためのエネルギーは、キーシャフトをキー溝の中へ押し込むときに機械的に与えられる。ロック部材をスライドさせるためのエネルギーはユーザによって、つまりキーをキー溝の中へ挿入することにより機械的にもたらされる。作動手段は、単にロック部材を鎖錠位置において固定するだけの役目をする。
【００１１】
本発明の別の態様によれば、押圧手段が回転子の背後領域内でキー溝の中へ突出し、そしてこのキー溝の中へ挿入されたキーによって動くことができる。キーをキー溝の中へ挿入したときに、この押圧手段はキーシャフトがモータの中へ完全に導入されてしまう少し手前で例えば下方へ動かされる。これがこの押圧手段の非常に簡単で確実な作動を可能にする。
【００１２】
本発明の更に別の態様によれば、ロック部材を固定するために或る可動の部材が設けられており、これが２つの位置の間で作動手段により動かされることができ、その際ロック部材は第１の位置において拘止され、そして第２の位置において開放される。このような動きは非常に僅かな所要エネルギーで実現できる。この可動部材は中でもスライダとして形成されていて、これにロック部材が拘止位置において当接する。
【００１３】
本発明の他の態様によれば、その可動の部材が或る面を有し、この面はロック部材の移動の方向に対して傾斜しており、そしてこの面にロック部材がその拘止位置において当接する。この傾斜面は、スライダを非常に僅かな摩擦でロック部材から引き離すことを可能にする。好ましくはこのスライダはその傾斜面にロック部材の下端において当接するのがよい。ロック部材は好ましくは２本のロックピンを有し、これらがそれぞれ一端において回転子の中へ嵌入する。
【００１４】
本発明の更に他の態様によれば、少なくとも１つのばね要素又は他のエネルギー蓄積手段を有するロック部材が押圧手段の作動により緊張されることができる。ロック部材が作動手段の作動により解放されたならば、ロック部材はばね要素の緊張力により直ちに開錠位置へ移動し、この位置において回転子は回転させることができる。好ましくは押圧手段はその作動に際して同様にばね要素又は他の適当なエネルギー蓄積手段により緊張され、それにより押圧手段はキーを引き抜いたときに自動的に出発位置へ移行する。この場合にロック部材は同様に押圧手段によって自動的に出発位置へ、したがって鎖錠位置へ移行される。
【００１５】
ロック部材は本発明の別の態様によれば２本のロックピンによって構成されており、これらは押圧手段と作動結合されている。
押圧手段は本発明の別の態様によれば或る接触要素を備え、これが更にメカトロニックな種々の機能、中でもプログラム用キーによるエレクトロニクスデバイスのプログラミング及び／又は制御装置の操作などを可能にする。
他の有利な諸特徴は各従属特許請求項、以下に挙げる明細書の記載及び添付の図面から明らかである。
【発明を実施するための最良の形態】
【００１６】
本発明の実施例の一つを以下において添付の図面の参照のもとに詳細に説明する。
添付の図面において、図１は本発明に従う回転ロックシリンダの一部の斜視図であり、その際この部分は作動手段、ロック部材及び押圧手段を含む。図２ないし図４に示した回転ロックシリンダ１は回転子１０を有しており、これは固定子５の穿孔６の中に支承されている。前記の回転子１０はキー溝１１を有しており、このキー溝の中へ図７のａないしｄに示すようにキー２のシャフト４を挿入することができる。
【００１７】
キーシャフト４の中の図示されていないいくつかの穿孔を通して各タンブラーが配置されている。これらのタンブラーはそれぞれコアピンとハウジングピンとを有し、これらは図示されていないそれぞれのスライダの中に収容されており、これらは固定子５のくり抜き１６（図２）の中に配置されている。
【００１８】
図示されていない動伝部材が回転子１０と連結されており、これによってここには図示されていない錠の掛金を作動させることができる。回転ロックシリンダ１はただ１個の回転子１０を有する簡単な回転ロックシリンダであっても、又は２つの固定子５に対応して２つの回転子１０を備えた２連回転ロックシリンダであってもよい。
【００１９】
キー２は本出願人の出願にかかるＷＯ２００４／０６６２２０に従い形成されていることができる。すなわち、キー２の中に公知のように制御回路と送受信回路とが設けられていて、回転ロックシリンダ１の制御回路に種々の情報信号を伝えることができるようになっていてもよい。ここでは回転ロックシリンダ１は独立に、又は組織的連携のもとに作動させることができる。
【特許文献４】ＷＯ２００４／０６６２２０
【００２０】
固定子５は、図示されてない連結クロスピ−スを受けるために背後側が解放しているくり抜き１２を設けたシリンダサック８を有している。このシリンダサック８の中には図３に示すようにいくつかの穿孔４０が、図示されていないそれぞれのピンを受けるために設けられており、これらにより上述の連結クロスピースが固定子５と連結される。
【００２１】
くり抜き１２は上方に配置されたもう一つのくり抜き９と結合されていて、中に図１に示した作動装置１４が収容されている。このものは互いに間隔をおいて配置された２本のロックピン３２を有するロック部材２５の作動に用いられるが、それらロックピンはそれぞれ案内部材２８の穿孔３０の中にスライド可能に収容されている。板状に形成された案内部材２８は支持材１５に固定されている。この支持材１５はブロック２７を有し、この中に電気モータ１７が収容されている。電気モータ１７は導線４１を介して給電される。      
【００２２】
案内部材２８は図２及び図３に示すように、固定子のくり抜き１３の中に嵌め込まれており、このくり抜きはキー溝１１へ向い、またくり抜き９へ向かっても開放されている。それら両ロックピン３２はそれぞれ、図３に示すように鎖錠位置において回転子１０の穿孔３６の中に嵌入し、それによってこれをロックする。案内部材２８は回転子１０の外周面に従い湾曲している上面２９を有する。
【００２３】
案内部材２８の中には、２つのカム突起３５および４２を有する押圧手段３３が収容されており、これらのカム突起３５および４２は図２に示すように下方からキー溝１１の中へ突出している。図示のように、この押圧手段３３は案内部材２８の貫通孔３１を貫通して上面２９から突出する。
【００２４】
カム突起４２は回転ロックシリンダ１の前面７に対してもう一方のカム突起３５よりも短い距離を有するが、押圧手段３３の移動方向に対して、またロック部材２５の移動方向に対しても傾斜している面３４を有する。押圧手段３３は、プレート２３のくり抜き２６の中に支持されている。押圧手段３３が図２に示すように矢印４４の方向へ下向きに動かされると、ばね要素４３が緊張される。ばね要素４３はここではコイルばねであるが、それ以外の他のいかなる適当なエネルギー貯蔵要素であってもよい。
【００２５】
押圧手段３３は、キーシャフト４をキー溝１１の中に挿入することによって矢印４４の方向へ下向きに動かされることができる。その際、前述したようにばね要素４３が緊張される。キーシャフト４をキー溝１１の中へ挿入したときにキーシャフト４の前端部が前記傾斜面３４において押圧手段３３の上に乗り上げ、そして前述したようにこれを下向きに動かす。
【００２６】
キーシャフト４が完全に挿入されてしまったときに、両カム突起３５及び４２は完全に回転子１０の外に、そしてそれとともにキー溝１１の外に存在する。好ましくは押圧手段３３はキー溝１１の後方領域に配置されていて、それによりこのものはキー２の大部分が既にキー溝１１の中に挿入されてしまった後ではじめて作動されるようになっているのがよい。
【００２７】
図１に示すように、押圧手段３３は側方へ突き出た２つのアーム４５を有しているが、これらは案内部材２８の下方に配置されており、そして、それぞれ１個のロックピン３２を把持している。これらのアーム４５には、それぞれ１つのばね要素３７が支持されており、これは下向きに貫通孔２４の中へ突き出ている。それらのばね要素３７は図３に示すようにそれぞれ下端において各対応するロックピン３２のきのこ状の頂部３８に支持されている。
【００２８】
押圧手段３３を矢印４４の方向へ下向きに動かしたときに両方のばね要素３７は圧縮され、そしてそれにより両方のロックピン３２は緊張される。従って、押圧手段３３を押し下げたときにばね要素４３のみならず両方のばね要素３７も圧縮される。押圧手段３３は図８に示すように帯状の接触部材５１を有し、これは上側接触面５２と下側接触面５３とを有している。上側接触面５２はほぼ水平に延びて押圧手段３３の上端に存在している。下側接触面５３は下向きに延び、そして押圧手段３３を下方へ押下げたときに制御装置４８と電子的に接触することができるようになっている。
【００２９】
制御装置４８は、ここでは単に図式的に示してあるフード状の電導板よりなるが、これはモータ１７を覆いそしてこれは内面的にも、また外面的にも用いられている。アンテナ４９が開口５４を突き抜けており、このアンテナは図示のように水平面に対して傾斜していて、図２に示した窓５５の方へ向けられている。しかしながら、この窓５５は必須ではない。
【００３０】
制御装置４８には、図９に示すように上側接触舌片５０と下側接触舌片５６とが設けられている。押圧手段３３がキー２によって下方へ押し下げられたときに上側接触舌片５０は押圧手段３３によって下側接触舌片５６の上に押し付けられる。アンテナ４９の前述の傾斜も必須ではない。
【００３１】
上側接触舌片５０と下側接触舌片５６との接触によってエレクトロニクスデバイスが、“睡眠状態”から目覚め、その後でモータ１７が作動される。制御装置はその後ですぐに再び“睡眠状態”におちいる。これは、両接触舌片５０及び５６の間の接触が再びもたらされたならば直ちにまた目覚め、次いでモータ１７は再び作動される。制御装置はその後で再び“睡眠状態”になる。
【００３２】
接触部材５１は、ここには図示されていないプログラム用キーを用いて接触面５２に電気的に接触させることができる。これにより、押圧手段３３を更に別なメカトロニクス機能のために利用することが可能になる。すなわち、プログラム用キーを用いてエレクトロニクスデバイスを例えば機能性付与についてプログラムすることができる。この場合に電池に負荷をかけないためにそのエレクトロニクスデバイスにプログラム用キーを介して給電することができる。また接触部材５１を電池が空になったときに緊急解錠のために用いることもできる。
【００３３】
上述の鎖錠位置において両ロックピン３２は、図３に示すようにそれぞれ前述した頂部３８によりスライダ２０に当接している。このスライダ２０は支持材１５のスリット状くり抜き２１の中で案内されている。このスライダ２０は、図３に示すように或る傾斜面４６を有している。この面４６の上にそれら両方の頂部が載っている。この面４６はスライダ２０を本質的な摩擦力を受けることなくそれらピン３２から引き離すことができるように両方のロックピン３２の長手方向に対して傾斜している。
【００３４】
図３に示すスライダ２０の位置において両方のロックピン３２は下向きに動かすことはできない。つまりそれらロックピン３２はスライダ２０によって固定されている。それら両方のロックピン３２を押圧手段３３により下向きに動かすことができるようにするためにスライダ２０は図３において左方へモータ１７によりスライドされ、それにより両方のロックピン３２と面４６との係合は解除される。このためには比較的小さな移動距離が必要である。
【００３５】
スライダ２０をスライドさせるためにモータ１７は伝動装置Ｇ（図１）を介してプレート２３と結合されている。伝動装置Ｇは外ねじ１９を有する軸棒１８を有するが、この軸棒はスライダ２０の対応するねじ穴２２の中に嵌合している。伝動装置Ｇは他の適当な装置、例えばウオームギヤ等であることができる。スライダ２０の作動も、例えば空気動力学的、電磁的又は水力学的な、或いはピエゾ素子を含む他の手段で行わせることができる。図示の例においての動きは直線運動であるが、原則的には他の、例えば回転運動も可能である。
【００３６】
スライダ２０をスライドさせるための消費エネルギーは非常に少ない。すなわち、一方の回転方向においてスライダ３９は図３で左方へ動かされる。両方のロックピン３２の固定を解除するためには約１ｍｍの距離の道程ですでに十分である。スライダ３９を図３に示されている位置へ再び移動させるためには軸棒１８を対応的に反対方向へ回転させ、それによりスライダ３９を図３に示されている位置へ移動させる。伝動装置Ｇは好ましくは自動制止式であって、従ってスライダ３９はモータ１７の作動がなければスライドさせることができない。
【００３７】
以下において本発明に従う回転ロックシリンダ１の作動態様を添付の図５のａないしｄ、図６のａないしｄ、及び図７のａないしｄの参照のもとに詳細に説明する。
【００３８】
錠あるいは類似のものを作動させるためにキー２のシャフトを図５のａ、図６のａ及び図７のａに示すようにキー溝１１の中へ挿入する。このときキーシャフト４の前端は押圧手段３３の上へ乗り上げてこのものを下向きに動かす。その際、両方の接触部材５０及び５１は接触し、それによりエレクトロニクスデバイスが目覚める。キー２を挿入したときに更に、キー２の中に記録されているコードが読み取られて有資格者であることのチェックがなされる。
【００３９】
キーシャフト４が完全にキー溝１１の中に入っていると各タンブラーが正規位置に配列され、そして押圧手段３３は図５のａ、図６のａ及び図７のａに示すように下方位置にある。若干長い方のカム突起３５は、ばね張力のもとにシャフト４の狭幅側面４７に当接する。両方のロックピン３２はなお、図３に示されているように回転子１０と係合している状態にある。ばね要素３７及び４３は緊張されている。スライダ２０は図３に示されている位置にあり、従って、両ロックピン２５は下向き方向へ固定されている。従って、回転子１０はさらに拘止されている。
【００４０】
押圧手段３３の下方への押し下げとほぼ同時に、図示されていない制御装置においてキー２の把持部３の中に記録されているコードが入場権限について非接触でチェックされる。入場権限が与えられていて回転子１０が挿入されたキー２によって作動されるべきであると決定されたならば、作動手段又はモータ１７がスイッチオンされてスライダ２０がスライドされ、それにより両ロックピン３２が開放される。
【００４１】
このとき両頂部３８は傾斜した面４６の上を滑って両方のばね要素３７及び４３の張力により直ちに下方へ動かされ、それによりこれらロックピン３２の回転子１０との係合が解除される。面４６の傾斜によってそれらロックピン２５はスライダ２０に或る水平方向分力を及ぼすが、これはスライダ２０の動きを支援し、そしてそれに応じてエネルギー消費を減少させる。図５のｃ、図６のｃ及び図７のｃは、スライダ２０が引き戻され、そして両方のロックピン３２がその下方位置にある状態を示している。
【００４２】
キー２を回転ロックシリンダ１から引き抜くと、押圧手段３３は緊張されているばね要素４３の作用によって再び図５のｄ、図６のｄ及び図７のｄに示されている位置へ上向きに移動する。それにより両方のカム突起３５及び４２はキー溝１１の中へ突出する。両アーム４５は図１に示すように案内部材２８の下側に当接し、これにより押圧手段３３の上向きの動きは制限されている。緊張された両ばね要素３７により押圧手段３３とほぼ同時に両ロックピン３２は図１に示されている位置へ上向きに動かされる。
【００４３】
両接触部材５０及び５１の間の接触が解除されてそれにより電子装置は再び目覚まされ、そしてモータ１７の作動状態がもたらされる。次にスライダ２０がモータ１７により再び図３に示した位置へ動かされ、この位置において両方のロックピン３２は拘止されている。回転子１０はそれによりまた再びそれら両方のロックピン３２によってロックされる。キー２を更に引き抜いたときに残余のばね賦勢されたタンブラーも鎖錠位置へ動かされる。電子装置は再び“睡眠状態”になり、そして回転ロックシリンダ１は次の作動の準備ができている。
【００４４】
上述した過程においてスライド２０は押圧手段３３が下方位置にあり、従って各ばね要素３７および４３が緊張されている状態にあるときにはじめて引き戻される。これはコードの読み込みとチェッキング及びモータ１７の作動によるエレクトロニクスデバイスの遅延からなんなくもたらされる。原則的にはこの遅延は、押圧手段３３が作動する少し前又は本質的に同時にスライダ２０を引き抜くことにより、最小限に留めることができる。
【００４５】
図１０ないし図１８は、別の実施態様に従う作動装置６０を有する回転ロックシリンダ１’を示す。この作動装置６０は本質的に前述の作動装置１４と同様に作動する。ここではスライダ２０のかわりにロックレバー６８が設けられている。或る動作位置において回転子１０の中へ２本のロックボルト６４が嵌入し、そして上記ロックレバー６８によりこの位置で拘止される。
【００４６】
有資格キー２がこの回転ロックシリンダ１’の中に挿入されるとモータ７８がスイッチオンされてこのモータによりロックレバー６８が開放される。次いで、予め緊張された各ロックボルト６４はキー２を完全に差し込むことによって、回転子１０がもはやロックされない位置へ動かすことができる。この実施態様においても本質的なことは、キー２を回転ロックシリンダ１’の中へ挿入することによって各ロックボルト６４が解放位置へ動かされることである。                                                                    
【００４７】
モータ７８は単にそれらロックレバー６４を解放し、そして最終的に再び拘止するという役目をするだけである。これは非常に僅かな消費エネルギーで可能であり、従ってエネルギー源、例えば電池を軽い負荷で使用することができる。更に、機能停止も避けることができる。この作動装置６０は以下において更に詳細に説明する。
【００４８】
作動装置６０はハウジング７６を有するが、これは回転子１０の中に固定配置されている。このハウジング７６の上に上方ハウジング部６１が載っており、そしてハウジング７６の上に固定用ねじ６２及び７９で固定されている。ハウジング７６の中にモータ７８及びロックレバー６８が収容されている。上方ハウジング部６１は両ロックボルト６４と押圧手段６３とを収容するのに用いられる。
【００４９】
モータ７８のロータにウォームギヤ７７が連結されており、これはモータ７８によってモータ軸の回りにプラス及びマイナスの回転方向へ回転させることができる。ウォームギヤ７７は対応歯切り部分材７１の歯８０と噛み合っている。ウォームギヤ７７の回転により歯切り部分材７１は２つの軸受ボルト６９の回りに２つの位置の間でスイング回動することができる。
【００５０】
歯切り部分材７１は側面に形成された軸受ボルト７２を有し、これによってそれはハウジング７６の中でスイング回動可能に支承されている。この軸受ボルト７２の向かい側にロック部７３が設けられており、これはラチェットレバー７４と協働する。このラチェットレバー７４は回動軸８１の回りにスイング回動可能にロックレバー６８に支持されている。
【００５１】
図１３及び図１４に示すように、ラチェットレバー７４は板ばね７５によって図１３に示す位置に保持されている。板ばね７５は、図１３ではレバーアーム８５によりラチェットレバー７４をブリッジ８３に対して反時計回り方向へ賦勢している。ラチェットレバー７４は図示のように屈曲状であり、そして上向きに突き出たレバーアーム８６の上に面８４を有していて、この面に前述のロック部７３が当接する。
【００５２】
図１２に示した位置においてラチェットレバー７４はロック部７３に当接しているために上向きに動かすことはできない。従って、図１２ではロックレバー６８は両軸受ボルト６９の回りに反時計方向へ回動させることはできない。このことは両ロックボルト６４を図１２に示した位置から下向きに動かすことができないという結果をもたらす。
【００５３】
両ロックボルト６４は下端に脚６６を有し、これは図１２に示すようにロックレバー６８のくり抜き７０の中に嵌入する。このくり抜き７０は両方の軸受ボルト６９のそれぞれの直下に設けられている。上に述べたように回転ロックシリンダ１’の鎖錠位置においてこのロックレバー６８はそれら両軸受ボルト６９の回りに回動できない。従ってそれら両方のロックボルト６４はこの鎖錠位置において固定される。
【００５４】
次に、ウォームギヤ７７を回転させることにより、歯切り部分材７１を次のような態様で、すなわちロック部７３がもはやラチェットレバー７４をロックできず、かつロックレバー６８が図１２において反時計回り方向へ両軸受ボルト６９の回りに回動できないような態様で、軸受ボルト７２の回りに回動させることができる。従って、両ロックボルト６４はもはや下向きに固定されていない。
【００５５】
各ロックボルト６４の上に１個の圧縮ばね６５が嵌め被されており、これは押圧手段６３によって賦勢させることができる。このために押圧手段６３は図１０に示すように２つのアーム８７を有し、これらはそれぞれ１つのロックボルト６４を受ける。押圧手段６３がキー２によって下方へ動かされるとそれら両方の圧縮ばね６５は圧縮緊張される。それに対応して両方のロックボルト６４はロックレバー６８に対して下向きに押付けられる。同時に、ハウジング７６に支持されている圧縮ばね６７が圧縮緊張される。
【００５６】
以下に、本発明に従う装置の作用態様を、特に図１５ないし図１８の参照のもとに詳細に説明する。図１５のａ、図１５のｂ及び図１５のｃは、回転ロックシリンダ１’を鎖錠位置において示す。両ロックボルト６４はそれぞれ上端が回転子１０のくり抜きの中へ嵌入してこれをロックしている。同様に回転子１０をロックしている残余のタンブラーはここには図示されていない。
【００５７】
これらのタンブラーは通常のように形成されており、そしてここでは図示されていないキー２のシャフト４の中の制御穿孔によって正規位置へ整列させることができる。回転子１０を解放するためには図１５のａおよび図１５のｂに示すように、キー２のシャフト４をキー溝の中へ差し込む。
【００５８】
次にキーシャフト４の先端が、キー溝の中へ上向きに突き出ている手前側部分８８（図１６のｃ）に達し、そして更に差し込まれると、押圧手段６３が下方へ動かされて各ばね６５および６７が圧縮緊張される。けれども各ロックボルト６４はなおロック位置に留まっている。ほぼ同時に制御装置がキー２のコードを非接触でチェックする。
【００５９】
キー２が入場許可を受けているときは、モータ７８がスイッチオンされてウォームギヤ７７の回転により歯切り部分材７１が軸受ボルト７２の回りに図１７のｃに示された位置へ回動される。図に見られるように、このときロック部７３はラチェットレバー７４の面８４の領域の外にある。次にキー２をキー溝の中へ完全に差し込むことができ、そしてそれに応じて両ロックボルト６４および押圧手段６３は下向きに動かすことができる。
【００６０】
この場合にロックレバー６８は図１７のｃに示されている位置へ回動される。両方の脚６６はこのときハウジング７６の上に載っている。ロックレバー６８のこの回動運動により板ばね７５は緊張される。このときロックボルト６４はもはや回転子１０の中に嵌入しないのでこの回転子は、図示されていない残余のタンブラが正規位置に整列しているのであるから回転させることができる。回転子１０が解放されれば錠は解放できる。
【００６１】
キー２が図１８のａ、図１８のｂ及び図１８のｃに示すように、再び引き抜かれると、押圧手段６３はばね６７により再びもとの位置へ上向きに動かされる。同時に板ばね７５がロックレバー６８を再び図１２及び図１５のｃに示されている出発位置へ回動させる。同様に両ロックボルト６４も同様に押圧手段６３の動きとともにロック位置へ持ち上げられる。
【００６２】
キー２を引き抜いたときに同様にモータ７８が非接触でスイッチオンされてウォームギヤ７７が反時計回り方向へ回転され、それにより歯切り部分材７１が回動されてロック部７３がロック位置へ運ばれる。これによって再び図１５のｃに示されている位置に達し、その際、回転ロックシリンダ１’は再びロックされる。
【図面の簡単な説明】
【００６３】
【図１】本発明に従う回転ロックシリンダの一部の斜視図であり、その際この部分は作動手段、ロック部材及び押圧手段手段を含むものである。
【図２】本発明に従う回転ロックシリンダであって、図４のII−II線に沿って切断した断面図である。
【図３】本発明に従う回転ロックシリンダであって、図４のIII − III線に沿って切断した断面図である。
【図４】本発明に従う回転ロックシリンダの平面図であり、その際不可視のエッジは破線で描かれている。
【図５】ａないしｄはキーの、図１に示した部分についてのそれぞれ異なった位置における斜視図である。
【図６】ａないしｄは図５のａないしｄに従う立面図であり、その際回転ロックシリンダは図３に従う断面図で示してある。
【図７】ａないしｄは図５のａないしｄに従う立面図であるが、その際回転ロックシリンダは図２に従う断面図で示してある。
【図８】図１に従う部分のもう一つの斜視図である。
【図９】制御装置の図式的斜視図である。
【図１０】別の実施態様の作動装置の分解図である。
【図１１】請求項１０に従う作動装置の斜視図である。
【図１２】図１０に従う作動装置の立面図であり、その際ハウジングは取り除いて示してある。
【図１３】図１０に従う作動装置の一部分の斜視図である。
【図１４】図１３に従う部分の別な斜視図である。
【図１５】ａはそれぞれキーの挿入深さが異なっている回転ロックシリンダ半体をよぎる断面図であり、ｂはキーがそれぞれ異なった位置にある作動装置の斜視図であり、ｃはそれぞれ異なった位置における各態様の作動装置の斜視図である。
【図１６】ａはそれぞれキーの挿入深さが異なっている回転ロックシリンダ半体をよぎる断面図であり、ｂはキーがそれぞれ異なった位置にある作動装置の斜視図であり、ｃはそれぞれ異なった位置における各態様の作動装置の斜視図である。
【図１７】ａはそれぞれキーの挿入深さが異なっている回転ロックシリンダ半体をよぎる断面図であり、ｂはキーがそれぞれ異なった位置にある作動装置の斜視図であり、ｃはそれぞれ異なった位置における各態様の作動装置の斜視図である。
【図１８】ａはそれぞれキーの挿入深さが異なっている回転ロックシリンダ半体をよぎる断面図であり、ｂはキーがそれぞれ異なった位置にある作動装置の斜視図であり、ｃはそれぞれ異なった位置における各態様の作動装置の斜視図である。
【符号の説明】
【００６４】
１    回転ロックシリンダ                      ２８    案内部材
２    キー                                    ２９    上面
３    キー把持部                              ３０    貫通孔
４    キーシャフト                            ３１    貫通孔
５    固定子                                  ３２    ロックピン
６    シリンダ穿孔                            ３３    貫通孔
７    前面                                    ３４    面  
８    シリンダサック                          ３５    カム突起
９    くり抜き                                ３６    穿孔
１０  回転子                                  ３７    ばね要素
１１  キー溝                                  ３８    頂部
１２  くり抜き                                ３９    面
１３  くり抜き                                ４０    穿孔
１４  作動装置                                ４１    導線
１５  支持材                                  ４２    カム突起
１６  くり抜き                                ４３    ばね要素
１７  モータ                                  ４４    矢印
１８  軸棒                                    ４５    アーム
１９  ねじ                                    ４６    面
２０  スライダ                                ４７    狭幅側面
２１  くり抜き                                ４８    制御装置
２２  ねじ孔                                  ４９    アンテナ
２３  プレート                                ５０    上側接触舌片
２４  貫通孔                                  ５１    接触部材
２５  ロック部材                              ５２    接触面
２６  貫通孔                                  ５３    接触面                    ２７  制御装置                                ５４    開口
５５  窓                                      ７４    ラチェットレバー
５６  下側接触舌片                            ７５    板ばね
６０  作動装置                                ７６    ハウジング
６１  ハウジング部                            ７７    ウォームギヤ
６２  固定用ねじ                              ７８    モータ
６３  押圧手段                                ７９    固定用ねじ
６４  ロックボルト                            ８０    歯
６５  圧縮ばね                                ８１    回動軸
６６  脚                                      ８２    アーム
６７  圧縮ばね                                ８３    ブリッジ  
６８  ロックレバー                            ８４    面
６９  軸受ボルト                              ８５    レバーアーム
７０  くり抜き                                ８６    レバーアーム
７１  歯切り部分材                            ８７    アーム
７２  軸受ボルト                              ８８    部分
７３  ロック部                                Ｇ      伝動装置
【図１】
2009521631.tif 000003
【図２】
2009521631.tif 000004
【図３】
2009521631.tif 000005
【図４】
2009521631.tif 000006
【図５】
2009521631.tif 000007
【図６】
2009521631.tif 000008
【図７】
2009521631.tif 000009
【図８】
2009521631.tif 000010
【図９】
2009521631.tif 000011
【図１０】
2009521631.tif 000012
【図１１】
2009521631.tif 000013
【図１２】
2009521631.tif 000014
【図１３】
2009521631.tif 000015
【図１４】
2009521631.tif 000016
【図１５】
2009521631.tif 000017
【図１６】
2009521631.tif 000018
【図１７】
2009521631.tif 000019
【図１８】
2009521631.tif 000020
【国際調査報告】
2009521631.tif 000021
2009521631.tif 000022
2009521631.tif 000023
2009521631.tif 000024
2009521631.tif 000025
2009521631.tif 000026